(57)【要約】      （修正有）【課題】単相３線に接続される各負荷の消費電力を簡易な構成で計測可能な電力計測装置およびこの電力計測装置を備える分電盤を提供する。【解決手段】電力計測装置７は、第１の分岐ブレーカ３Ａに流れる電流値Ｉｃおよび第３の入力部３４に入力する電圧値Ｖａから第１の分岐ブレーカ３Ａに接続される負荷の消費電力Ｗ１を演算し、第２の分岐ブレーカに流れる電流値Ｉｄと、第１の入力部３２に入力する第１の電源線１４ａに流れる電流値Ｉａと第２の電源線１４ｂに流れる電流値Ｉｂから補正値ｋを演算し、この補正値ｋに第３の入力部３４に入力する電圧値Ｖａを乗じた電圧から第２の分岐ブレーカ４に接続される負荷の消費電力Ｗ２を演算する演算部３５を具備している。【選択図】図３
2015194437.tif 000002
【特許請求の範囲】
【請求項１】
主ブレーカに接続された第１の電源線、第２の電源線および中性線で構成される単相３線の第１および第２の電源線に流れる電流値をそれぞれ入力する第１の入力部と；  前記主ブレーカの出力側に
おいて、前記単相３線の第１の電源線および中性線間に接続された第１の分岐ブレーカと、前記単相３線の第２の電源線および中性線間に接続された第２の分岐ブレーカとに流れる電流値をそれぞれ入力する第２の入力部と；  前記主ブレーカの出力側において、前記単相３線の第１の電源線および中性線間の電圧値を入力する第３の入力部と；  前記第１の分岐ブレーカに流れる電流値および前記第３の入力部に入力する電圧値から前記第１の分岐ブレーカに接続される負荷の消費電力を演算し、前記第２の分岐ブレーカに流れる電流値と、前記第１の入力部に入力する第１の電源線に流れる電流値と第２の電源線に流れる電流値から補正値を演算し、この補正値に前記第３の入力部に入力する電圧値を乗じた電圧から前記第２の分岐ブレーカに接続される負荷の消費電力を演算する演算部と；を具備していることを特徴とする電力計測装置。
【請求項２】
主ブレーカに接続された第１の電源線、第２の電源線および中性線で構成される単相３線の第１および第２の電源線に流れる電流値をそれぞれ入力する第１の入力部と；  前記主ブレーカ側において、前記単相３線の第１の電源線に流れる電流値と、前記単相３線の第２の電源線に流れる電流値とをそれぞれ入力する第２の入力部と；  前記主ブレーカ側において、前記単相３線の第１の電源線および中性線間の電圧値を入力する第３の入力部と；  前記第２の入力部に入力する前記単相３線の第１の電源線に流れる電流値および前記第３の入力部に入力する電圧値から第１の電源線に接続される負荷の消費電力を演算し、前記第２の入力部に入力する前記単相３線の第２の電源線に流れる電流値と、前記第１の入力部に入力する第１の電源線に流れる電流値と第２の電源線に流れる電流値から補正値を演算し、この補正値に前記第３の入力部に入力する電圧値を乗じた電圧から第２の電源線に接続される負荷の消費電力を演算する演算部と；を具備していることを特徴とする電力計測装置。
【請求項３】
請求項１また２記載の電力計測装置と；  第１の電源線、第２の電源線および中性線で構成される単相３線の外部電源に接続される主ブレーカと；  この主ブレーカの出力側において、前記単相３線の第１の電源線および中性線間に接続された第１の分岐ブレーカと；  前記主ブレーカの出力側において、前記単相３線の第２の電源線および中性線間の接続された第２の分岐ブレーカと；  ベースを有し、このベースに少なくとも前記主ブレーカ、前記第１の分岐ブレーカおよび前記第２の分岐ブレーカを配設しているケースと；を具備していることを特徴とする分電盤。
【発明の詳細な説明】
【技術分野】
【０００１】
本発明の実施形態は、主ブレーカおよび分岐ブレーカに接続される負荷の消費電力を計測する電力計測装置およびこの電力計測装置を備える分電盤に関する。
【背景技術】
【０００２】
住宅や店舗などにおいて、大規模な設備を要することなく、使用している電気機器の消費電力や消費電力量などのデータを収集し、可視化することが行われている。その電気機器の消費電力等の計測は、例えば分電盤で行われている。分電盤は、主ブレーカおよび分岐ブレーカを備えており、主ブレーカまたは分岐ブレーカに流れる電流を電流センサにより検出している。例えば、分岐ブレーカに入力する電圧と、電流センサにより検出した電流とによって分岐ブレーカに接続された電気機器（負荷）の消費電力を演算している。  
【０００３】
そして、分電盤には、電力計測装置を備えて、この電力計測装置により消費電力の演算を行っているものがある（例えば特許文献１参照。）。この分電盤は、単相３線の交流電源が使用されている。電力計測装置は、単相３線の両電源線および中性線に接続されて、両電源線および中性線間の電圧をそれぞれ検出している。  
【０００４】
ところで、例えば住宅用の分電盤には、単相３線の送り端子が備わっていないものがある。この分電盤において、電力計測装置は、例えば電気機器が接続されていない空きの分岐ブレーカや増設した分岐ブレーカを使用して、電気機器の消費電力などを計測している。例えば、電力計測装置は、単相３線の一方の電源線および中性線間の分岐ブレーカに接続された電気機器に対しては、当該分岐ブレーカに流れる電流と、入力した単相３線の一方の電源線および中性線間の電圧とにより消費電力を計測している。また、単相３線の他方の電源線および中性線間の分岐ブレーカに接続された電気機器に対しては、当該分岐ブレーカに流れる電流と、単相３線の両電源線間の電圧（ＡＣ２００Ｖ）から入力した単相３線の一方の電源線および中性線間の電圧を除算した電圧とにより消費電力を計測している。
【先行技術文献】
【特許文献】
【０００５】
【特許文献１】特開２０１３−１３０４１２号公報（第５−６頁、第１図）
【発明の概要】
【発明が解決しようとする課題】
【０００６】
しかしながら、単相３線の両電源線間の電圧（ＡＣ２００Ｖ）から単相３線の一方の電源線および中性線間の電圧を除算する電圧は、両電源線間の電圧変動や中性線に対する両電源線の電圧バランスの大小などによって誤差が大きく変化する。これにより、分岐ブレーカを介して単相３線の他方の電源線および中性線間に接続される電気機器の消費電力は、許容され得る範囲内に計測できないという欠点を有する。  
【０００７】
本実施形態は、単相３線に接続される各負荷の消費電力を簡易な構成で計測可能な電力計測装置およびこの電力計測装置を備える分電盤を提供することを目的とする。
【課題を解決するための手段】
【０００８】
本実施形態の電力計測装置は、第１の入力部、第２の入力部、第３の入力部および演算部を有して構成される。  
【０００９】
第１の入力部は、主ブレーカに接続された第１の電源線、第２の電源線および中性線で構成される単相３線の第１および第２の電源線に流れる電流値をそれぞれ入力する。第２の入力部は、主ブレーカの出力側において、単相３線の第１の電源線および中性線間に接続された第１の分岐ブレーカと、単相３線の第２の電源線および中性線間に接続された第２の分岐ブレーカとに流れる電流値をそれぞれ入力する。第３の入力部は、主ブレーカの出力側において、単相３線の第１の電源線および中性線間の電圧値を入力する。  
【００１０】
演算部は、第１の分岐ブレーカに流れる電流値および第３の入力部に入力する電圧値から第１の分岐ブレーカに接続される負荷の消費電力を演算する。また、第２の分岐ブレーカに流れる電流値と、第１の入力部に入力する第１の電源線に流れる電流値と第２の電源線に流れる電流値から補正値を演算し、この補正値に第３の入力部に入力する電圧値を乗じた電圧から第２の分岐ブレーカに接続される負荷の消費電力を演算する。
【発明の効果】
【００１１】
本実施形態の電力計測装置によれば、単相３線に接続される第１および第２の分岐ブレーカに接続されるそれぞれの負荷の消費電力を簡易な構成で計測することが期待できる。
【図面の簡単な説明】
【００１２】
【図１】本発明の実施形態を示す分電盤の概略正面図である。
【図２】同じく、分電盤の概略回路図である。
【図３】同じく、計測装置の構成を示す概略ブロック図である。
【図４】同じく、計測装置の演算を示すフロー図である。
【発明を実施するための形態】
【００１３】
以下、本発明の一実施の形態について、図面を参照して説明する。  
【００１４】
本実施形態の分電盤１は、例えば住宅や店舗に設置されるものであり、図１に示すように、主ブレーカ２、第１の分岐ブレーカ３、第２の分岐ブレーカ４、第１の電流センサ５ａ，５ｂ（図２に示す。）、第２の電流センサ６、電力計測装置７およびケース８を有して構成されている。主ブレーカ２、第１および第２の分岐ブレーカ３，４、第１の電流センサ５ａ，５ｂ、第２の電流センサ６および電力計測装置７は、ケース８に収納されている。第１および第２の分岐ブレーカ３，４は、それぞれ複数個からなっている。  
【００１５】
ケース８は、自己消化性樹脂からなり、箱状に形成され、ベース９および図示しないカバーを有している。ベース９は、長方形に形成され、図示しないねじなどにより、主ブレーカ２、第１の分岐ブレーカ３および第２の分岐ブレーカ４などを取り付けている。主ブレーカ２は、ベース９の長手方向の一端側９ａに配設され、第１および第２の分岐ブレーカ３，４は、ベース９の長手方向の他端側９ｂに配設されている。  
【００１６】
そして、第１および第２の分岐ブレーカ３，４は、ベース９の長手方向に沿って互いに接近して並設されているとともに、ベース９の短手方向（図１中、上下方向）に上段および下段の２段に配設されている。第１の分岐ブレーカ３は、下段側に配設され、第２の分岐ブレーカ４は、上段側に配設されている。第１および第２の分岐ブレーカ３，４は、互いに反対側を向くように、すなわち不図示の入力端子が正対するように配設されている。そして、本実施形態の分電盤１は、導電バー１２が設けられており、第１および第２のブレーカ３，４間が導電バー１２の配設空間となっている。  
【００１７】
電力計測装置７は、１個からなり、第１の分岐ブレーカ３の最端側に配設される。こうして、ケース８は、そのベース９に少なくとも主ブレーカ２、第１の分岐ブレーカ３および第２の分岐ブレーカ４を取り付けているとともに、ベース９の長手方向に第１および第２の分岐ブレーカ３，４を並設している。  
【００１８】
主ブレーカ２は、単３中性線欠相保護の機能を有する既存品である。主ブレーカ２は、図２に示すように、不図示の３個の入力端子に第１の電源線１４ａ、第２の電源線１４ｂおよび中性線１４ｃで構成される単相３線の外部電源１３が接続されている。外部電源１３の中性線１４ｃは、中間の入力端子に接続され、両電源線１４ａ，１４ｂは、両側の入力端子にそれぞれ接続されている。外部電源１３は、第１および第２の電源線１４ａ，１４ｂ間の電圧がＡＣ２００Ｖであり、中性線１４ｃおよび第１の電源線１４ａ間の電圧と、中性線１４ｃおよび第２の電源線１４ｂ間の電圧とがＡＣ１００Ｖであり、それらの電圧が主ブレーカ２の３個の入力端子に入力されている。主ブレーカ２は、ハンドル１５（図１に示す。）の手動操作により入力端子および出力端子間がオンオフされ、通常オンにされている。  
【００１９】
主ブレーカ２の出力端子は、１個の主幹バー１６により３個の導電バー１２ａ，１２ｂ，１２ｃに接続されている。導電バー１２ｃは、外部電源１３の中性線１４ｃに接続されている。また、導電バー１２ａは、外部電源１３の第１の電源線１４ａに接続され、導電バー１２ｂは、外部電源１３の第２の電源線１４ｂに接続されている。したがって、主ブレーカ２がオンしていると、導電バー１２ｃおよび一方の導電バー１２ａの間と、導電バー１２ｃおよび他方の導電バー１２ｂの間には、それぞれＡＣ１００Ｖの電源電圧が供給される。なお、３個の導電バー１２ａ，１２ｂ，１２ｃは、導電バー１２と総称する。  
【００２０】
そして、第１および第２の分岐ブレーカ３，４は、導電バー１２ｃと、導電バー１２ａ，１２ｂとの間にほぼ同等の数量となるように設けられ、電源電圧ＡＣ１００Ｖを入力する。導電バー１２ａ，１２ｂ間には、電源電圧ＡＣ２００Ｖが入力される。  
【００２１】
導電バー１２は、例えば板厚２ｍｍの銅板からなり、例えば長方形に形成されている。そして、図１において、第１および第２のブレーカ３，４の間に配設されているとともに、最端の第１および第２のブレーカ３，４が配設されているベース９の他端側９ｂ部位まで延在している。３個の導電バー１２は、互いに平行に、かつベース９と平行となるように設けられている。すなわち、導電バー１２は、本実施形態では、ベース９に対して３段となるように配設されている。  
【００２２】
第１および第２の分岐ブレーカ３，４は、既存品である。また、本実施形態では、第１および第２のブレーカ３，４は、外部電源１３の単相３線への接続状態が異なっていることを区分しているものであり、互いに同等品である。  
【００２３】
そして、第１および第２の分岐ブレーカ３，４は、略直方体の本体１７の前面側に３個の導電バー１２を接続しており、導電バー１２に弾性的に接触する入力端子の有無に応じて導電バー１２に電気接続されている。すなわち、第１の分岐ブレーカ３は、図２に示すように、２個の入力端子が導電バー１２ｃおよび導電バー１２ａに電気接続するように設けられている。また、第２の分岐ブレーカ４は、２個の入力端子が導電バー１２ｃおよび導電バー１２ｂに電気接続するように設けられている。主ブレーカ２がオンしているときに、第１の分岐ブレーカ３は、単相３線の中性線１４ｃおよび第１の電源線１４ａに接続されて、外部電源１３のＡＣ１００Ｖを入力する。また、第２の分岐ブレーカ４は、単相３線の中性線１４ｃおよび第２の電源線１４ｂに接続されて、外部電源１３のＡＣ１００Ｖを入力する。  
【００２４】
こうして、複数個の第１の分岐ブレーカ３は、主ブレーカ２の出力側において、導電バー１２ａおよび導電バー１２ｃを介して単相３線の第１の電源線１４ａおよび中性線１４ｃ間に接続されている。また、複数個の第２の分岐ブレーカ４は、主ブレーカ２の出力側において、導電バー１２ｂおよび導電バー１２ｃを介して単相３線の第２の電源線１４ｂおよび中性線１４ｃ間に接続されている。  
【００２５】
そして、第１および第２のブレーカ３，４は、本体１７の後面側に設けられた２個の出力端子が電源コード等のリード線１８，１８により負荷１９に接続されている。各負荷１９は、例えば種類の異なる電気機器からなっており、それぞれの消費電力が異なっている。第１および第２のブレーカ３，４は、それらの本体１７の上面側に設けたハンドル２０（図１に示す。）を手動操作することにより、入力端子および出力端子が接続されて、外部電源１３を負荷１９に供給する。  
【００２６】
第１の電流センサ５ａ，５ｂは、主ブレーカ２よりも外部電源１３側に設けられており、単相３線の第１および第２の電源線１４ａ，１４ｂに流れる電流を検出する既存のカレントトランスに形成されている。すなわち、第１の電流センサ５ａは、単相３線の第１の電源線１４ａに設けられ、外部電源１３から複数個の第１の分岐ブレーカ３に流れる電流を検出する。また、第１の電流センサ５ｂは、単相３線の第２の電源線１４ｂに設けられ、外部電源１３から複数個の第２の分岐ブレーカ４に流れる電流を検出する。第１の電流センサ５ａ，５ｂにより検出されたそれぞれの電流は、電力計測装置７に入力される。  
【００２７】
第２の電流センサ６は、第１および第２の分岐ブレーカ３，４に接続されたリード線１８に設けられ
ている。第２の電流センサ６は、負荷１９に流れる電流（負荷電流）を検出する既存のカレントトランスに形成されている。そして、第２の電流センサ６の出力側は、リード線２１に接続されている。リード線２１の先端には、雌コネクタ２２が接続されている。そして、雌コネクタ２２には、電力計測装置７から導出された接続線２９の雄コネクタ３０が接続される。  
【００２８】
なお、本実施形態の雄コネクタおよび雌コネクタは、それぞれを交換してもよい。また、第２の電流センサ６は、第１および第２の分岐ブレーカ３，４に内蔵されていてもよい。  
【００２９】
そして、本実施形態の電力計測装置７は、図１に示すように、略直方体に形成された装置本体３１を有する。この装置本体３１の上面から雄コネクタ３０を有する接続線２９が導出されている。装置本体３１は、例えばポリブチレンテレフタレート（ＰＢＴ）樹脂からなり、図３に示すように、その内部に、第１の入力部３２、第２の入力部３３、第３の入力部３４、演算部３５、演算出力部３６、記憶部３７および電源部３８などを形成している。  
【００３０】
第１の入力部３２は、接続線３９ａ，３９ｂにより第１の電流センサ５ａ，５ｂに接続され、第１の電流センサ５ａ，５ｂが検出する電流をそれぞれ入力し、当該電流を直流電圧に変換して演算部３５に出力するように形成されている。すなわち、主ブレーカ２に接続された単相３線の第１の電源線１４ａに流れる電流Ｉａおよび第２の電源線１４ｂに流れる電流Ｉｂを入力し、当該電流Ｉａ，Ｉｂの変換値を演算部３５に出力する。  
【００３１】
第２の入力部３３は、接続線２９および雄コネクタ３０により第２の電流センサ６に接続される。そして、第２の電流センサ６が検出する電流を個別に入力し、当該電流を直流電圧に変換して演算部３５に出力するように形成されている。すなわち、第１および第２の分岐ブレーカ３，４に流れるそれぞれの負荷電流Ｉｃ，Ｉｄを入力し、当該負荷電流Ｉｃ，Ｉｄの変換値を演算部３５に出力する。  
【００３２】
第３の入力部３４は、本実施形態では、接続線４０ａ，４０ｂにより第１の分岐ブレーカ３Ａを介して単相３線の第１の電源線１４ａおよび中性線１４ｃ間の電源電圧Ｖａを入力し、当該電源電圧Ｖａを低電圧に変換して演算部３５に出力するように形成されている。すなわち、第３の入力部３４は、第１の分岐ブレーカ３に接続された負荷１９に印加される負荷電圧を入力し、当該負荷電圧の変換値を演算部３５に出力する。そして、第３の入力部３４は、図２に示すように、例えば負荷１９が接続されていない空きの第１の分岐ブレーカ３Ａに接続される。  
【００３３】
演算部３５は、マイコンを有してなり、各種演算をして、その演算結果を演算出力部３６に出力するように形成されている。演算部３５は、第１の入力部３２に入力した単相３線の第１および第２の電源線１４ａ，１４ｂに流れる電流Ｉａ，Ｉｂから式（１）に示す補正値ｋを演算する。  
【００３４】
式（１）  ｋ＝ｆ（Ｉａ，Ｉｂ）  
【００３５】
そして、第２の入力部３３に入力した負荷電流および第３の入力部３４に入力した電源電圧により、第１および第２の分岐ブレーカ３，４に接続されている負荷１９のそれぞれの消費電力を演算する。  
【００３６】
すなわち、第１の分岐ブレーカ３に接続されている各負荷１９に対しては、式（２）に示すように、第２の入力部３３に入力したそれぞれの負荷電流Ｉｃに第３の入力部３４に入力した電源電圧Ｖａを乗算することにより、消費電力Ｗ１を演算する。また、第２の分岐ブレーカ４に接続されている各負荷１９に対しては、式（３）に示すように、第２の入力部３３に入力したそれぞれの負荷電流Ｉｄに第３の入力部３４に入力した電源電圧Ｖａを乗算し、さらに前記補正値ｋを乗じて消費電力Ｗ２を演算する。  
【００３７】
式（２）  Ｗ１＝Ｉｃ×Ｖａ  
【００３８】
式（３）  Ｗ２＝Ｉｄ×Ｖａ×ｋ  
【００３９】
単相３線の第１の電源線１４ａおよび中性線１４ｃ間の電源電圧Ｖａに前記補正値ｋを乗算した電圧は、単相３線の第２の電源線１４ｂおよび中性線１４ｃ間の電源電圧Ｖｂとなる。電源電圧Ｖｂは、第２の分岐ブレーカ４の入力端子に入力され、第２の分岐ブレーカ４に接続している負荷１９に印加される。したがって、第２の分岐ブレーカ４に流れる負荷電流Ｉｄに電源電圧Ｖｂを乗じることにより、当該負荷１９の消費電力Ｗ２が演算される。  
【００４０】
演算出力部３６は、演算部３５が演算した演算結果をパソコン等の外部機器４１またはインターネット回線などに出力するよう形成されている。そして、記憶部３７は、第２の入力部３３が入力した負荷電流Ｉｃ，Ｉｄに対する負荷１９などを記憶している。また、電源部３８は、第３の入力部３４に入力した導電バー１２ａ，１２ｃ間の電源電圧Ｖａから直流電源を生成し、電力計測装置７の動作電源として供給するように形成されている。  
【００４１】
そして、図１において、ケース８には、導電バー１２が露出しないように、電気絶縁性の不図示の化粧板が設けられている。主ブレーカ２、第１および第２の分岐ブレーカ３，４のそれぞれの主要部は、露出している。  
【００４２】
次に、図４を参照して、本実施形態の作用について述べる。図４は、電力計測装置７の演算部３５の動作（演算）を示すフロー図である。  
【００４３】
第１および第２の分岐ブレーカ３，４に接続している負荷１９のそれぞれの消費電力を知るには、まず、電力計測装置７を接続している第１の分岐ブレーカ３Ａをオンにする。単相３線の第１の電源線１４ａおよび中性線１４ｃ間の電源電圧Ｖａが電力計測装置７の第３の入力部３４に入力して、電源計測装置７が動作する。  
【００４４】
電力計測装置７の第１の入力部３２には、第１の電流センサ５ａ，５ｂが検出した単相３線の第１の電源線１４ａに流れる電流Ｉａおよび第２の電源線１４ｂに流れる電流Ｉｂが入力する。また、第２の入力部３３には、第１および第２の分岐ブレーカ３，４に流れるそれぞれの負荷電流Ｉｃ，Ｉｄが入力する。演算部３５は、第１の入力部３２に入力した電流Ｉａ，Ｉｂを入力し（ステップＳ１）、電流Ｉａと電流Ｉｂから第１の電源線１４ａおよび第２の電流線１４ｂの不平衡率を求め、補正値ｋを演算する（ステップＳ２）。  
【００４５】
そして、演算部３５は、第１の分岐ブレーカ３に接続されている負荷１９の消費電力Ｗ１を上述した式（２）により演算する（ステップＳ３）。電源電圧Ｖａおよび第１の分岐ブレーカ３に流れる負荷電流Ｉｃは、第１の分岐ブレーカ３に接続されている負荷１９に印加する印加電圧および当該負荷１９に流れる電流であるので、当該負荷１９に対する消費電力Ｗ１は、誤差の小さい計測値となる。  
【００４６】
また、演算部３５は、第２の分岐ブレーカ４に接続されている負荷１９の消費電力Ｗ２を上述した式（３）により演算する（ステップＳ４）。電源電圧Ｖａに補正値ｋを乗じた電圧は、単相３線の第２の電源線１４ｂおよび中性線１４ｃ間の電源電圧Ｖｂである。この電源電圧Ｖｂは、第２の分岐ブレーカ４を介して第２の分岐ブレーカ４に接続されている負荷１９に印加する印加電圧に相当する。  
【００４７】
このように、第２の分岐ブレーカ４に接続されている負荷１９に印加する印加電圧（電源電圧Ｖｂ）は、外部電源１３の電圧変動があっても、単相３線の第１および第２の電源線１４ａ，１４ｂに流れる電流Ｉａ，Ｉｂの検出と、第１の電源線１４ａおよび中性線１４ｃ間の電源電圧Ｖａの検出とにより、計測することなく計算によってほぼ正確に得られる。そして、第２の分岐ブレーカ４に流れる負荷電流Ｉｄは、第２の分岐ブレーカ４に接続されている負荷１９に流れる電流であるので、当該負荷１９に対する消費電力Ｗ２は、誤差の小さい計測値となる。演算部３５は、マイコンにより各負荷１９に対する消費電力Ｗ１，Ｗ２の演算を行うので、当該演算を容易にかつ迅速に行える。  
【００４８】
そして、演算部３５は、各負荷１９の消費電力Ｗ１，Ｗ２の演算結果を伝送データにより演算出力部３６から外部機器４１に送信させる（ステップＳ５）。外部機器４１の例えば表示部で演算結果を視認することにより、第１および第２の分岐ブレーカ３，４に接続されている負荷１９のそれぞれの消費電力Ｗ１，Ｗ２を認識することができる。  
【００４９】
また、本実施形態では、主ブレーカ２側において、第１の電源線１４ａおよび第２の電源線１４ｂに第２の電流センサ６が設けられる。第２の電流センサ６が検出する第１の電源線１４ａに流れる電流値または第２の電源線１４ｂに流れる電流値は、電力計測装置７の第２の入力部３３に入力される。また、第１の電源線１４ａおよび中性線１４ｃ間の電圧値は、第３の入力部３４に入力される。  
【００５０】
そして、演算部３５で上述と同様に演算が行われる。すなわち、第１の電源線１４ａおよび中性線１４ｃ間に第１の分岐ブレーカ３を介して接続された全ての負荷１９の合計消費電力が演算される。また、同様に、第２の電源線１４ｂおよび中性線１４ｃ間に第２の分岐ブレーカ４を介して接続された全ての負荷１９の合計消費電力が演算される。演算結果は、演算出力部３６から外部機器４１に出力される。  
【００５１】
なお、第１および第２の分岐ブレーカ３，４をそれぞれ１個ずつオンにすることにより、主ブレーカ２側で第１および第２のブレーカ３，４に接続される負荷１９の消費電力Ｗ１，Ｗ２を個別に計測できる。  
【００５２】
本実施形態の電力計測装置７によれば、第３の入力部３４が単相３線の第１の電源線１４ａおよび中性線１４ｃに接続されるものであっても、演算部３５は、第１の分岐ブレーカ３に流れる電流Ｉｃおよび第３の入力部３４に入力する電圧Ｖａから第１の分岐ブレーカ３に接続された負荷１９の消費電力Ｗ１を演算し、第２の分岐ブレーカ４に流れる電流Ｉｄと、第１の入力部３２に入力する第１の電源線１４ａに流れる電流Ｉａと第２の電源線１４ｂに流れる電流Ｉｂから補正値ｋを演算し、この補正値ｋに第３の入力部３４に入力する電圧Ｖａを乗じた電圧から第２の分岐ブレーカ４に接続された負荷１９の消費電力Ｗ２を演算するので、単相３線に接続された第１および第２の分岐ブレーカ３，４に接続されるそれぞれの負荷１９の消費電力Ｗ１，Ｗ２をほぼ正確に計測できるという効果を有する。  
【００５３】
また、電力計測装置７は、主ブレーカ２側で、第１の電源線１４ａに流れる電流値と、第２の電源線１４ｂに流れる電流値を入力し、第１の電源線１４ａおよび中性線１４ｃ間の電圧値を入力することにより、第１および第２の分岐ブレーカ３，４にそれぞれ接続される全ての負荷１９の合計消費電力を計測でき、また、各負荷１９の個別の消費電力Ｗ１，Ｗ２を計測できるという効果を有する。  
【００５４】
また、本実施形態の分電盤１によれば、例えば単相３線の送り端子が設けられていない分電盤に単相２線式の電力計測装置７を用いても、この電力計測装置７の計測により、単相３線に接続される第１および第２の分岐ブレーカ３，４に接続された各負荷１９の消費電力をほぼ正確に知り得ることができるという効果を有する。  
【００５５】
なお、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００５６】
１…分電盤、  ２…主ブレーカ、  ３…第１の分岐ブレーカ、  ４…第２の分岐ブレーカ、  ７…電力計測装置、  ８…ケース、  ９…ケースのベース、  ３２…第１の入力部、  ３３…第２の入力部、  ３４…第３の入力部、  ３５…演算部
【図１】
2015194437.tif 000003
【図２】
2015194437.tif 000004
【図３】
2015194437.tif 000005
【図４】
2015194437.tif 000006